(57)【要約】【課題】端末装置にサービスを簡単にインストールできるようにする。【解決手段】ＲＦタグの識別情報を読み取るＲＦタグ読み取り手段と、サービスを管理するサーバと通信する通信手段と、ＲＦタグ読み取り手段により読み出したＲＦタグの識別情報を上記通信手段を用いてサーバに送信する送信手段と、サーバからＲＦタグの識別情報に対応するサービスに関する情報を受信する受信手段と、上記受信手段により受信したサービス情報に従ってサービスを端末にインストールを設け、ＲＦタグが読み取れる範囲にある場合にＲＦタグに対応するサービスをインストールするようにする。【選択図】  図１
2004355306.tif 000002
【特許請求の範囲】
【請求項１】
ＲＦタグの識別情報を読み取るＲＦタグ読み取り手段を有する端末装置であって、
サービスを管理するサーバと通信する通信手段と、
前記ＲＦタグ読み取り手段により読み出したＲＦタグの識別情報を前記通信手段を用いて前記サーバに送信する送信手段と、
前記サーバからＲＦタグの識別情報に対応するサービスに関する情報を受信する受信手段と、
前記受信手段により受信したサービスに関する情報に従ってＲＦタグの識別情報に対応するサービスを自分自身にインストールする手段を設けたことを特徴とする端末装置。
【請求項２】
前記ＲＦタグの識別情報を端末装置で読み取れる距離に置くと、前記ＲＦタグに対応するサービスを利用できるようにすることを特徴とする請求項１記載の端末装置。
【請求項３】
前記ＲＦタグの識別情報を端末装置で読み取れるように、前記ＲＦタグを端末装置に貼付することにより、前記ＲＦタグに対応するサービスを利用できるようにすることを特徴とする請求項１記載の端末装置。
【請求項４】
前記ＲＦタグを貼付する位置に印をつけたことを特徴とする請求項３記載の端末装置。
【請求項５】
ＲＦタグの識別情報を読み取るＲＦタグ読み取り手段を有する端末装置であって、
サービスを管理するサーバと通信する通信手段と、
前記ＲＦタグ読み取り手段により読み出したＲＦタグの識別情報を前記通信手段を用いて前記サーバに送信する送信手段と、
前記サーバからＲＦタグの識別情報に対応するサービスに関する情報を受信する受信手段と、
前記受信手段により受信したサービスに関する情報に従ってＲＦタグの識別情報に対応するサービスを自分自身にインストールする手段と、
ＲＦタグの識別情報とインストールしたサービスの対応を管理するサービス管理手段とを有し、
ＲＦタグの識別情報が読み取れなくなったときに、前記サービス管理手段により、前記ＲＦタグの識別情報に対応するサービスを利用できないようにすることを特徴とする端末装置。
【請求項６】
前記サービスを管理するサーバから受信したサービス情報にエラー情報が含まれていた場合、サービスをインストールしないことを特徴とする請求項１から５のいずれかに記載の端末装置。
【請求項７】
前記サービスを管理するサーバから受信したサービス情報にサービスの利用回数に関する制限があった場合、前記利用回数に達したときに前記サービスを利用できないようにすることを特徴とする請求項１から５のいずれかに記載の端末装置。
【請求項８】
ＲＦタグの識別情報を読み取るＲＦタグ読み取り手段を有する端末装置であって、
サービスを管理するサーバと通信する通信手段と、
前記ＲＦタグ読み取り手段により読み出したＲＦタグの識別情報を前記通信手段を用いて前記サーバに送信する送信手段と、
前記サーバからＲＦタグの識別情報に対応するサービスに関する情報を受信する受信手段と、
前記受信手段により受信したサービスに関する情報に従ってＲＦタグの識別情報に対応するサービスを自分自身にインストールする手段とを有し、
ＲＦタグを含む粘着シートを端末装置に貼り付けられると、前記ＲＦタグに対応したサービスを利用でき、前記粘着シートをはがされると、前記ＲＦタグの識別情報に対応するサービスを受けられなくなることを特徴とする端末装置。
【請求項９】
ＲＦタグの識別情報を読み取るＲＦタグ読み取り手段を有する端末装置であって、
サービスを管理するサーバと通信する通信手段と、
前記ＲＦタグ読み取り手段により読み出したＲＦタグの識別情報を前記通信手段を用いて前記サーバに送信する送信手段と、
前記サーバからＲＦタグの識別情報に対応するサービスに関する情報を受信する受信手段と、
前記受信手段により受信したサービスに関する情報に従ってＲＦタグの識別情報に対応するサービスを自分自身にインストールする手段とを有し、
ＲＦタグを含むカードが端末装置または端末装置のカバーに挿入されると、前記ＲＦタグに対応したサービスを利用でき、該カードが引き抜かれると、前記ＲＦタグの識別情報に対応するサービスを受けられなくなることを特徴とする端末装置。
【請求項１０】
端末装置からＲＦタグの識別情報を受信する受信手段と、
ＲＦタグの識別情報とサービスの対応関係を管理するサービス管理手段と、
前記端末装置からＲＦタグの識別情報を受信したときに、受信した識別情報に対応するサービスに関係する情報を前記端末装置に送信する手段とを設けたことを特徴とするサービス提供サーバ。
【請求項１１】
端末装置からＲＦタグの識別情報を受信する手段と、
ＲＦタグの識別情報とサービスの対応関係、および前記識別情報で利用できるサービスの利用回数に関する情報を管理するサービス管理手段と、
前記端末装置からＲＦタグの識別情報を受信したときに、サービス管理手段に受信した識別情報に対応するサービスがない場合、または前記識別情報で利用できるサービスの利用回数が０の場合に、端末装置に特定の情報を送信し、サービスを利用できないようにしたことを特徴とするサービス提供サーバ。
【請求項１２】
ＲＦタグの識別情報を読み取ることができる端末装置に用いられるＲＦタグを含むシートであって、
前記シートに含まれるＲＦタグの識別情報が前記端末装置からサービスを管理するサーバに送信され、前記サーバからＲＦタグの識別情報に対応するサービスに関する情報が前記端末装置に受信され、受信されたサービスに関する情報に従ってＲＦタグの識別情報に対応するサービスが自分自身にインストールされ、インストールされたサービスが、前記シートの色、またはシートの形、またはシート上の文字、またはそれらの組み合わせによって区別できるようにしたことを特徴とするＲＦタグシート。
【発明の詳細な説明】
【０００１】
【発明の属する技術分野】
本発明は、端末装置にサービスを提供するための方法、及びサービスを提供される装置に関する。
【０００２】
【従来の技術】
近年、端末装置の高度化が進み、ユーザが必要とする機能を後から組み込むことが可能となっている。現在では、パソコンはいうまでもなく、携帯電話、ＰＤＡなどにおいても、機能の追加が可能である。これにより、機器を購入した後で、新たなサービスを受けることができるようになっている。
また、一方で、ユーザがサービスを受けることができるか否かの判断に非接触ＩＣカードを利用する技術がある。その技術では、携帯用の証明書として、非接触ＩＣチップをシート状媒体に貼り付けたものを証明書として利用できるようにしている（例えば特許文献１参照）。
【０００３】
【特許文献１】
特開２００１−３５７３７７号公報
【０００４】
【発明が解決しようとする課題】
しかし、上記のような従来技術では、ユーザが新しいサービスを利用する場合、ユーザがあらかじめ決められた手順でアプリケーションのインストールや、サービスを受けるための設定を行う必要があり、不慣れなユーザにとっては敷居の高いものとなっている。
また、非接触ＩＣカードを用いた技術では、サービスを受ける権利の正当性を判断するには十分であるが、サービスを受けるための環境を整えることはできない。
そこで、本発明の目的は、ユーザが、簡単に、正当なサービスを受けられる環境を整え、ユーザの利便性の向上を図るとともに、サービスの配布を容易にすることにある。
【０００５】
【課題を解決するための手段】
上記課題を解決するため、本発明では、ＲＦタグと呼ばれる通信機付きＩＣに、端末装置との通信手段、および、ＲＦタグを識別するための識別情報（以下識別番号として説明）を管理する識別番号管理手段を設けるようにしている。そして、このＲＦタグを粘着性のシートの一部に配置して端末装置に貼り付けられるようにして、カードの一部に配置して端末装置または端末装置のカバーに挿入できるようにしている。
そして、本発明では、端末装置に、ＲＦタグを読み取るＲＦタグ読取手段を設けるようにしている。そして、ＲＦタグが端末装置に貼られて、ＲＦタグが添付されたカードが挿入された場合、ＲＦタグ読み取り手段を用いて、ＲＦタグの識別番号を読み取るようにしている。さらに、本発明では、端末装置に、サーバとの通信手段を設け、読み取ったＲＦタグの識別情報をサーバに送信するようにしている。
【０００６】
また、本発明で使用するサーバでは、ＲＦタグの識別番号とサービスの対応を管理するサービス管理手段を設けるようにしている。さらに、本発明では、サーバに、端末装置との通信手段を設け、端末装置からＲＦタグの識別番号を受信できるようにしている。そして、サーバでは、端末装置からＲＦタグの識別番号を受信すると、上記サービス管理手段により、受信したＲＦタグの識別番号に対応するサービスを検索できるようにしている。さらに、サーバでは、上記通信手段を介して、検索の結果特定されたサービスを端末装置で利用できるようにするために必要な情報（以下、サービス情報）を端末装置に送信するようにしている。
【０００７】
端末装置では、端末装置の通信手段により、サーバからサービス情報を受信すると、サービス情報に基づいて、端末装置でサービスを利用できる環境をインストールするようにしている。そして、インストールしたサービスとＲＦタグの識別番号の対応を管理する導入サービス管理手段を設け、インストールしたサービスとＲＦタグの対応を管理できるようにしている。また、導入サービス管理手段では、サービスをアンインストールするために必要な情報も管理するようにする。
【０００８】
また、端末装置では、サービスを利用できなくするアンインストール手段を設けるようにしている。そして、ＲＦタグが端末装置からはがされたり、あるいは引き抜いたりされたときに、はがされたり引き抜いたりされたＲＦタグに対応するサービスを導入サービス管理手段を用いて検索し、該ＲＦタグに対応するサービスを、導入サービス管理手段により管理されるアンインストール情報に従って削除するようにしている。
【０００９】
上記手段により、本発明では、端末装置にＲＦタグを貼付、または挿入、またはカバーに挿入することで、端末装置でＲＦタグに対応したサービスを利用できるようにしている。そして、ＲＦタグをはがしたり、引き抜いたりすることでサービスの利用を終わらせるようにしている。
【００１０】
【発明の実施の形態】
本発明の一実施例について、以下図面を用いて説明する。
まず、本発明で使用する端末装置について、図１を用いて説明する。
図中、１００は端末装置である。端末装置１００の例としては、たとえば、携帯電話、パソコン、セットトップボックス、デジタルカメラ、ハンディカムコーダ、ＶＴＲなどがある。図中２００は、ＲＦ（Ｒａｄｉｏ  Ｆｒｅｑｕｅｎｃｙ）タグである。ＲＦタグは無線通信機能を有するＩＣである。３００は、サーバである。
【００１１】
端末装置１００は、１０１〜１０７で構成する。１０１はＣＰＵであり、周辺部の制御、データの処理や通信に関わる各種プログラムの実行を行う。１０２は入力制御部であり、キーボード、タッチパッド、テンキー、各種ボタンなどである。１０３は、記憶部であり、たとえば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ、ハードディスクなどである。そして、本実施例で使用する各種プログラムやデータを記憶する。１０４は出力制御部であり、たとえば、ＬＣＤ（Ｌｉｑｕｉｄ  Ｃｒｙｓｔａｌ  Ｄｉｓｐｌａｙ）およびＬＣＤを駆動するためのドライバである。なお、出力制御部１０４は、端末装置１００と一体であって、分かれていてもよい。１０５は通信制御部であり、サーバ３００との通信をつかさどる部分であり、プロトコルの制御、通信の物理層の制御を行う。なお、通信制御部１０５は無線であっても有線であってもよい。１０６はＲＦタグ読取制御部であり、ＲＦタグ２００と通信を行い、ＲＦタグの情報を取得するのに使用する。
【００１２】
次に、ＲＦタグ２００について、図２を用いて説明する。
ＲＦタグ２００は、無線通信制御２０１、ＩＤ番号管理２０２、アンテナ２０３で構成する。無線通信制御２０１は、端末装置１００と間の通信を制御する。ＩＤ番号管理２０２は、ＲＦタグ２００に割り当てられた識別番号を記録、保持する。なお、一般的には、ＲＦタグ２００毎に異なる識別番号が割り当てられるが、同じ識別番号を有する場合もあってもよい。アンテナ２０３は、通信制御部２０１と接続され、無線信号の送信または受信を行う。
【００１３】
次に、ＲＦタグ２００の使用例について、図３〜５を用いて説明する。
図３は、ＲＦタグ２００をシール状にした場合の例である。本例では、粘着部を有するシート２１０にＲＦタグ２００を配置し、ＲＦタグ２００を端末装置１００に貼り付けられるようにしている。図３（ａ）は、端末装置１００の一例である携帯電話１００ａにＲＦタグ２００を含むシート２１０ａを貼り付けた例である。図３（ｂ）は、端末装置１００の一例であるパソコン１００ｂにＲＦタグ２００を含むシート２１０ｂを貼り付けた例である。
ＲＦタグ２００を端末装置１００に貼り付ける場所を指定したほうがよい場合、端末装置１００において、ＲＦタグを貼り付ける場所を明示するようにすることができる。このようにすることにより、通信の感度をよくするなどの効果がある。
【００１４】
図４は、端末装置１００において、ＲＦタグ２００を貼り付ける場所を指定した例である。図４（ａ）は、端末装置１００の一例である携帯電話１００ａにＲＦタグ２００を貼り付ける場所１１０ａを点線で示した例である。図４（ｂ）は、端末装置１００の一例であるパソコン１００ｂにＲＦタグ２００を貼り付ける場所１１０ｂを点線で示した例である。なお、本例では、点線で貼り付ける場所を示すようにしたが、点線ではなく、他の線、あるいは、形状によってＲＦタグ２００を貼り付ける位置をしているようにしてもよい。
【００１５】
次に、ＲＦタグ２００の別の使用例を図５に示す。図５の例では、ＲＦタグ２００は、シール上にするのではなく、カード２２０に貼り付け、カードを端末装置１００のカード入れに挿入するようにした例である。なお、カード入れは、端末装置１００に内蔵していても、端末装置１００のカバーにあってもよい。
本発明では、上記に示したＲＦタグ２００を含むシール２１０の添付、あるいはカード２２０の挿入により、端末装置１００でＲＦタグ２００に対応したサービスを受けられるようにするものである。以下では、サービスを実現するためのデータ、および、処理について説明する。
【００１６】
まず、ＲＦタグ２００のＩＤ番号管理２０２で管理する識別番号と、受けられるサービスの対応関係を管理するサービス管理テーブル４００について、図６、７を用いて説明する。なお、サービス管理テーブル４００は、サーバ３００で管理する。
サービス管理テーブル４００は、０個以上のサービス管理レコード４１０で構成する。各サービス管理レコード４００は、ＩＤ４０１、サービス情報４０２、残利用回数４０３で構成する。ＩＤ４０１は、ＲＦタグ２００のＩＤ番号管理２０２で管理する識別番号であり、ＲＦタグ２００を特定するための情報である。サービス情報４０２は、ＩＤ４０１で特定されるＲＦタグ２００に対応するサービスに関する情報である。残利用回数４０３は、ＩＤ４０１で特定されるサービスを受けられる残回数であり、たとえば、正の数値、または、無制限であることを示す記号などである。
【００１７】
図７にサービス情報４０２の例を示す。
図中、４０２ａは、サービスがゲームなどのアプリケーションの場合の例である。この場合、サービス情報４０２として、サービスの名称（図中のＮａｍｅの行）、サービスの種別（図中のＫｉｎｄの行）、アプリケーションの入手方法（図中のＤｏｗｎｌｏａｄの行）、アプリケーションの利用回数（図中のＣｏｕｎｔの行）などの情報が記述される。
図中、４０２ｂは、サービスがファイル共有サービスの場合の例である。この場合、サービス情報４０２として、サービスの名称（図中のＮａｍｅの行）、サービスの種別（図中のＫｉｎｄ行）、共有ファイルが保存されているファイルホルダのありか（図中Ｓｈａｒｅｄ  Ａｄｄｒｅｓｓの行）、共有ファイルに対するアクセス権（図中Ａｃｃｅｓｓの行）、アクセスするためのキー（図中ＡｃｃｅｓｓＫｅｙの行）などの情報が記述される。なお、アクセス権としては、読み取り専用、読み書きＯＫなどがある。また、アクセスキーとしては、たとえばユーザＩＤとパスワードの組み合わせがある。
【００１８】
図中、４０２ｃは、サービスが映画などのコンテンツ提供サービスの場合の例である。この場合、サービス情報４０２として、サービスの名称（図中のＮａｍｅの行）、サービスの種別（図中のＫｉｎｄ行）、コンテンツの入手先（図中Ｄｏｗｎｌｏａｄの行）、コンテンツの閲覧回数（図中Ｃｏｕｎｔの行）などの情報が記述される。
なお、上記はあくまでサービス情報４０２の例であり、これらの情報をすべて含む必要はない。また、サービスを提供するために必要な別の情報を追加するようにしてもなんら問題はない。また、図７の例では、行単位でサービスに関する情報を記述するようにしているが、ＸＭＬ（ｅＸｔｅｎｓｉｂｌｅ  Ｍａｒｋｕｐ  Ｌａｎｇｕａｇｅ）など他の記述方法を利用してもよいことはいうまでもない。
【００１９】
次に、端末装置１００において、導入されたサービスを管理するための導入サービス管理テーブル４５０に関して、図８を用いて説明する。なお、導入サービス管理テーブル４５０は、端末装置１００の記憶部１０３に保存される。
導入サービス管理テーブル４５０は、複数の導入サービスレコード４６０で構成する。各導入サービスレコード４６０は、ＩＤ４５１、アンインストール情報４５２、残回数４５３で構成する。
ＩＤ４５１は、ＲＦタグ２００のＩＤ番号管理２０２で管理する識別番号であり、ＲＦタグ２００を特定するための情報である。アンインストール情報４５２は、ＩＤ４５１で特定されるＲＦタグ２００に対応するサービスをアンインストールするために必要な情報である。残回数は、ＩＤ４５１で特定されるＲＦタグ２００に対応するサービスを利用できる回数の残り回数である。
【００２０】
次に、端末装置１００があらたなＲＦタグ２００を検出したときに実行するサービスインストール処理５００、サービス提供処理５１０について、図９を用いて説明する。なお、サービスインストール処理５００は端末装置１００で実行され、サービス提供処理５１０はサーバ３００で実行される。
サービスインストール処理５００では、まず、新たに検出されたＲＦタグ２００の識別番号をＲＦタグ２００より読取制御部１０６を用いて読み出す（ステップ５０１）。次に、ステップ５０１で読み出した識別番号を、ＲＦ情報データ７００にセットして、サーバに送信する（ステップ５０２）。
【００２１】
サーバ３００では、ＲＦ情報データ７００を受信すると、サービス提供処理処理５１０を実行する。サービス提供処理５１０では、まず、受信したＲＦ情報データ７００から、ＲＦタグ２００の識別番号を取り出す（ステップ５１１）。次に、サービス管理テーブル４００から、ステップ５１１で取り出した識別番号と、ＩＤ４０１の識別番号が同じサービス管理レコード４１０を特定し、そのサービス管理レコード４１０のサービス情報４０２を読み出す（ステップ５１２）。次に、ステップ５１２で読み出したサービス情報４０２をサービス情報データ７１０に設定し、端末装置１００に送信する（ステップ５１３）なお、ステップ５１２において、サービス管理レコード４１０が特定できなかった場合、または特定できたが、残利用回数４０３が０であった場合は、サービス情報４０２の代わりにエラーであることを示すエラーコードをサービス情報データ７１０に設定するようにする。次に、ステップ５１２で特定したサービス管理レコード４１０の残利用回数４０３が正の数値であった場合、その値を１減らすようにする（ステップ５１４）。なお、ステップ５１４で残利用回数が０になった場合、そのサービス管理レコード４１０をサービス管理テーブル４００から削除してもよい。
【００２２】
端末装置１００では、ステップ５０２の後、サーバ３００から送信されるサービス情報７１０を受信する（ステップ５０３）。そして、受信したサービス情報７１０にエラーコードが入っていないかをチェックする（ステップ５０４）。受信したサービス情報７１０にエラーコードが入っていなかった場合、受信したサービス情報７１０の内容にしたがって、サービスのインストールを行う。このとき、新たに検出されたＲＦタグ２００の識別番号をＩＤ４５１に、インストールしたサービスをアンインストールするための情報をアンインストール情報４５２に、受信したサービス情報７１０に利用回数制限が記述されていればその回数を残回数４５３に、それぞれ設定した導入サービスレコード４６０を作成する。そして、作成した導入サービスレコード４６０を導入サービス管理テーブル４５０に追加する（ステップ５０５）。ステップ５０４において、受信したサービス情報７１０にエラーコードが入っていた場合、エラーであった旨をユーザに通知する（ステップ５０６）。ユーザに通知する画面の例を図１０に示す。なお、ステップ５０６の処理は省略しても問題はない。
【００２３】
なお、サービスのアンインストールに何も処理が必要でなければ、アンインストール情報４５２は不要である。また、サービスの利用回数に制限を設けない場合、残回数４５３は不要である。
また、残回数４５３は、ユーザがサービスを利用するたびに１ずつ減らすようにし、０になった場合に、そのサービスを利用できなくなるようにする。
【００２４】
次に、端末装置１００に貼り付けられていたＲＦタグ２００がはがされた、あるいは、挿入されていたＲＦタグが抜かれた場合に実行するサービス削除処理５５０について、図１１を用いて説明する。なお、サービス削除処理５５０は、端末装置１００で実行される。
サービス削除処理５５０では、まず、削除されたＲＦタグ２００を特定する（ステップ５５１）。これは、たとえば、導入サービス管理テーブル４５０にある導入サービスレコード４６０のＩＤ４６１の識別情報と、端末装置１００で検出できるＲＦタグ２００の識別情報を比較することで検出できる。次に、ステップ５５１で特定されたＲＦタグに対応する導入サービスレコード４６０を特定し、アンインストール情報４５２を読み出す（ステップ５５２）。そして、読み出したアンインストール情報４５２に基づいて、サービスのアンインストールを行う（ステップ５５３）。次に、ステップ５５１で特定されたＲＦタグに対応する導入サービスレコード４６０を導入サービス管理テーブル４５０から削除する。
【００２５】
なお、ＲＦタグ２００の追加または削除の検出は、定期的、あるいは、電源ＯＮ時などに実行するようにすることもできる。その場合の処理について、図１２を用いて説明する。
図中、５６０が、サービス追加削除処理である。サービス追加削除処理５６０では、まず、端末装置１００が検出できるＲＦタグ２００をすべて検出し、その識別番号を読み出す（ステップ５６１）。次に、導入サービス管理テーブル４５０にある導入サービスレコード４６０のＩＤ４６１の識別情報とステップ５６１で読み出した識別番号を比較し、追加、あるいは削除されたＲＦタグ２００があるか否かを判定する（ステップ５６２）。ＲＦタグの追加・削除のいずれもない場合は、処理を終了する。ＲＦタグ２００が追加されている場合は、サービスインストール処理５００を実行する。ＲＦタグ２００が削除されている場合は、サービス削除処理５５０を実行する。
【００２６】
次に、以上の説明したハードウェア、データ、処理で実現できるサービスの例について、図１３〜図１５を用いて説明する。
図１３は、ＲＦタグ２００に対応するサービスがゲームである場合の例である。ＲＦタグ２００を端末装置１００に貼り付ける前の利用できるゲームの一覧画面の例を８０１に示す。貼り付けるＲＦタグ２００に対応するサービスがゲーム４の場合、ＲＦタグ２００を端末装置１００に貼り付けることにより、ゲーム４が利用可能となる。ＲＦタグ２００を端末装置１００に貼り付けた後の利用できるゲームの一覧画面の例を８０２に示す。画面８０２において、ゲーム４を選択することで、ゲーム４を遊ぶことができる。ゲーム４に対応するＲＦタグをはがせば、ゲーム４は端末装置からアンインストールされる。そのため、画面８０１のように、利用できるゲーム一覧からも削除される。
【００２７】
図１４は、ＲＦタグ２００に対応するサービスがファイル共有サービスの場合の例である。ＲＦタグ２００を貼り付ける前の利用できるホルダの一覧画面の例を８１０に示す。貼り付けるＲＦタグ２００に対応するサービスが、あるサーバ上のネット１という名前のホルダへのアクセスであった場合、ＲＦタグ２００を貼り付けることにより、ネット１へのアクセスが可能となる。ＲＦタグ２００を貼り付けた後の利用できるホルダの一覧画面の例を８１１に示す。ユーザは、ネット１を選択することにより、サーバ上のネット１ホルダへのアクセスが可能となる。ネット１ホルダに写真１〜３が保存されていた場合の画面例を画面８１２に示す。ネット１に対応するＲＦタグ２００をはがせば、ネット１へのアクセスサービスは端末装置１００から削除される。そのため、画面８１０のように、利用できるホルダ一覧からも削除される。
【００２８】
図１５は、ＲＦタグ２００に対応するサービスが映画などの閲覧回数制限付きコンテンツ閲覧の場合の例である。ＲＦタグ２００を貼り付ける前の利用できるコンテンツの一覧画面の例を８２０に示す。ＲＦタグ２００に対応するサービスが映画１の１回の閲覧であった場合、ＲＦタグ２００を貼り付けることにより、閲覧できるコンテンツ一覧に映画１が追加される。ＲＦタグ２００を貼り付けた後のコンテンツの一覧画面の例を画面８２１に示す。映画１の閲覧回数が１回に制限されているため、閲覧終了後は、画面８２０のように、閲覧できるコンテンツの一覧から映画１が削除される。また、映画１に対応するＲＦタグ２００をはがした場合も、コンテンツの一覧から映画１が削除される。
なお、以上、サービスの例では、ＲＦタグ２００を貼ったり、はがしたりした場合の例を用いて説明したが、先に説明したカード２２０型のＲＦタグの挿入、引き出しであってもよいことはいうまでもない。
【００２９】
以上、説明したように、本発明では、ＲＦタグ２００を用いて利用できるサービスが異なる。ユーザがサービスを区別しやすくするため、ＲＦタグを含むシートやシールやカードの色や形状を変えたり、文字を入れたりすることにより、ユーザは容易に利用できるサービスを区別することができるようになるという効果がある。色、形などを変更し、サービスを区別できるようにしたシール２１０の例を図１６に示す。
なお、カード２２０においても同様であることはいうまでもない。
【００３０】
以上説明したように、本発明では、端末装置にＲＦタグを貼り付けたりするだけで、端末装置に特定のサービスを簡単にインストールでき、特定のサービスを受けられるようにすることが可能となる。これにより、ユーザは特定のサービスを受けたい場合は、特定のＲＦタグを端末装置に貼ったりするだけでよく、非常に簡単にサービスを受けることができるようになる。また、サービスが不要になった場合、ＲＦをはがすだけでよく、ユーザの利便性を向上させることができる。
【００３１】
さらに、本発明では、サービス提供者は、ＲＦタグを配布するだけでサービスを提供できるようになるため、ユーザに提供するサービスを簡単に配布することが可能となる。
【００３２】
【発明の効果】
以上説明したように、本発明によれば、端末装置で特定のサービスを簡単に受けることが可能となり、ユーザの利便性を向上させることができる。
【図面の簡単な説明】
【図１】本発明の実施例における端末装置のハードウェア構成を示したブロック図である。
【図２】本発明の実施例におけるＲＦタグのハードウェア構成を示したブロック図である。
【図３】本発明の実施例におけるＲＦタグを端末装置に貼り付けた例を示した説明図である。
【図４】本発明の実施例における端末装置おいて、ＲＦタグを貼付する場所をわかるようにした例を示した説明図である。
【図５】本発明の実施例における端末装置おいて、カード上のＲＦタグを挿入した例を示した説明図である。
【図６】本発明の実施例におけるサービス管理テーブルのデータ構造を示した説明図である。
【図７】本発明の実施例におけるサービス情報の例を示した説明図である。
【図８】本発明の実施例における導入サービス情報管理テーブルのデータ構造を示した説明図である。
【図９】本発明の実施例におけるサービスインストール処理、およびサービス提供処理を示したフローチャートである。
【図１０】本発明の実施例におけるエラー表示画面の例である。
【図１１】本発明の実施例におけるサービス削除処理を示したフローチャートである。
【図１２】本発明の実施例におけるサービス追加削除処理を示したフローチャートである。
【図１３】本発明の実施例における画面の例を示した説明図である。
【図１４】本発明の実施例における画面の例を示した説明図である。
【図１５】本発明の実施例における画面の例を示した説明図である。
【図１６】本発明の実施例におけるＲＦタグを含むシートの計上の例を説明した説明図である。
【符号の説明】
１００  端末装置
２００  ＲＦタグ
３００  サーバ
４００  サービス管理テーブル
４５０  導入サービス管理テーブル
５００  サービスインストール処理
５１０  サービス提供処理
５５０  サービス削除処理
５６０  サービス追加削除処理
【図１】
2004355306.tif 000003
【図２】
2004355306.tif 000004
【図３】
2004355306.tif 000005
【図４】
2004355306.tif 000006
【図５】
2004355306.tif 000007
【図６】
2004355306.tif 000008
【図７】
2004355306.tif 000009
【図８】
2004355306.tif 000010
【図９】
2004355306.tif 000011
【図１０】
2004355306.tif 000012
【図１１】
2004355306.tif 000013
【図１２】
2004355306.tif 000014
【図１３】
2004355306.tif 000015
【図１４】
2004355306.tif 000016
【図１５】
2004355306.tif 000017
【図１６】
2004355306.tif 000018